(57)【特許請求の範囲】
【請求項１】
挿入部に、湾曲可能な湾曲部と、この湾曲部の先端に連結される先端部とを設けるとともに、前記先端部に固定され、前記湾曲部を牽引操作する湾曲操作ワイヤを有する内視鏡において、
前記湾曲操作ワイヤの先端に膨大部を溶融成形し、前記挿入部の先端部に対して前記膨大部を接合したことを特徴とする内視鏡。
【発明の詳細な説明】
【０００１】
【発明の属する技術分野】
本発明は、湾曲部を牽引操作する湾曲操作ワイヤを挿入部の先端部に固定した内視鏡に関する。
【０００２】
【従来の技術】
従来、内視鏡の挿入部は、可撓管、湾曲管および先端硬性部から構成されている。内視鏡の湾曲操作ワイヤは、湾曲管の内側に挿通され、湾曲管を構成する各湾曲駒の内周面に設けられたワイヤ受けによって案内されている。各ワイヤ受けに挿通された湾曲操作ワイヤの先端は、最先端の湾曲駒に固着されている。そして、湾曲管は、湾曲操作ワイヤを押し引きすることにより強制的に湾曲させることが出来るようになっている。
【０００３】
このような湾曲操作ワイヤの先端を最先端の湾曲駒に固着する内視鏡については種々提案されている。これらのうち例えば、実用新案登録第２５０１１５８号公報に記載されている内視鏡は、最先端の湾曲駒と湾曲操作ワイヤとを固定する際に、各部品の接合部分にフラックスを塗布し、ろう付けした後にフラックスを洗浄除去していた。
【０００４】
このようなろう付けをした湾曲操作ワイヤは、洗浄後にフラックスが残留して錆が発生しやすく、断線する虞があり、内視鏡の寿命低下の要因となっていた。特に、内視鏡をオートクレープ滅菌装置に投入する場合、湾曲操作ワイヤは、高温高圧水蒸気にさらされる為、僅かなフラックスの残留でも錆が発生し易くなる。しかしながら、湾曲管の構造上、ろう付け後にフラックスを完全に除去することは困難であった。
【０００５】
一方、特開昭６１―２９３４１９号公報に記載されている内視鏡では、湾曲駒と湾曲操作ワイヤの素線とをレーザ等の手段により直接溶接している。この方法によればフラックスを使用せずに湾曲駒と湾曲操作ワイヤを固定することができる。
【０００６】
しかしながら、湾曲駒と湾曲操作ワイヤの素線とは、熱容量の値が大きく異なる為、直接溶接を行うと湾曲駒が十分加熱される前に湾曲操作ワイヤの素線が溶けてしまい、接合できなくなることが多々あった。
【０００７】
【発明が解決しようとする課題】
上述したように従来の内視鏡では、湾曲駒と湾曲操作ワイヤの固定にろう付けを用いた場合、洗浄後の湾曲操作ワイヤにフラックスが残留して錆が発生しやすく、湾曲操作ワイヤが断線する虞があり、内視鏡の寿命低下の要因となっていた。
【０００８】
また、従来の内視鏡では、湾曲駒と湾曲操作ワイヤの固定に直接溶接を用いた場合、湾曲駒と湾曲操作ワイヤの素線とで熱容量の値が大きく異なる為、直接溶接を行うと湾曲駒が十分加熱される前に湾曲操作ワイヤの素線が溶けてしまい、接合できなくなることが多々あった。
【０００９】
本発明は、これらの事情に鑑みてなされたものであり、挿入部の先端部に湾曲操作ワイヤを確実に固定できるとともに、湾曲操作ワイヤに錆が発生するのを確実に防止できる内視鏡を提供することを目的とする。
【００１０】
【課題を解決するための手段】
前記目的を達成するため本発明の内視鏡は、挿入部に、湾曲可能な湾曲部と、この湾曲部の先端に連結される先端部とを設けるとともに、前記先端部に固定され、前記湾曲部を牽引操作する湾曲操作ワイヤを有する内視鏡において、前記湾曲操作ワイヤの先端に膨大部を溶融成形し、前記挿入部の先端部に対して前記膨大部を接合したことを特徴とする。
【００１１】
上記の構成により、挿入部の先端部に湾曲操作ワイヤを確実に固定できるとともに、湾曲操作ワイヤに錆が発生するのを確実に防止できる内視鏡を実現する。
【００１６】
【発明の実施の形態】
以下、本発明の実施の形態を図面を参照して説明する。
【００１７】
（第１の実施の形態）
図１ないし図５は本発明の第１の実施の形態に係り、図１は内視鏡の挿入部先端側を側方から見た断面図、図２は図１のＡ−Ａ線断面図、図３は最先端の湾曲駒及び湾曲操作ワイヤの組立前の状態を示す断面図、図４は最先端の湾曲駒及び湾曲操作ワイヤの組立後の状態を示す正面及び側方から見た断面図、図５は内視鏡の全体を示す斜視図である。
【００１８】
まず、図５を用いて内視鏡の概略構成を説明する。
【００１９】
図５に示すように、内視鏡１０は、操作部１１、この操作部１１の先端に接続され体腔内に挿入される細長の挿入部１２、及び前記操作部１１の基端部に接続され図示しない光源装置に着脱自在に接続されるコネクタ１３を備えた長尺のライトガイドケーブル１４から構成されている。前記操作部１１には湾曲操作レバー１５及び接眼部１６が設けられている。
【００２０】
また、挿入部１２は、基端側から可撓管部１７、湾曲部１８、先端構成部１９を直列に連結した構造になっている。
【００２１】
図１に示すように湾曲部１８は、湾曲駒列からなる湾曲管２０の外周面に金属素線よりなるブレード２１及び外皮チューブ２２を被覆して構成されている。外皮チューブ２２の先端部は、先端構成部１９の先端部を除く外周部に達してそれに被嵌しており、緊締糸２６及び接着剤２７によって固定されている。
【００２２】
前記湾曲管２０は、短円筒状の湾曲駒２３を複数、直列に並べ、隣接する湾曲駒２３相互の例えば相対する部位を一対の枢軸２４を介して回動自在に連結し、かつ各湾曲駒２３の内周面のうち、前記枢軸部と直交する相対部位で、軸方向中途部に壁部を内側へ円弧状に切り曲げて一対のワイヤ受け２５を一体に形成してなる。また、最先端の湾曲駒２３ａの先端部は先端構成部１９の基端外周部に被嵌されており、接着剤付けによって固定されている。
【００２３】
前記先端構成部１９には、挿入部長手方向に略円柱状の穴１９ａが形成され、この穴１９ａには、挿入部１２内に挿通されたイメージガイドファイバ２８及びライトガイドファイバ２９の各先端部が固着されている。穴１９ａの先端側には、外周から順にライトガイド口金３２、ライトガイドファイバ２９、イメージガイド口金３１、対物レンズ３０が配置されている。イメージガイドファイバ２８は対物レンズ３０の後側にイメージガイド口金３１を介して連結され、ライトガイドファイバ２９はライトガイド口金３２を介して円筒状に形成されて連結されている。
【００２４】
イメージガイドファイバ２８の基端は図５に示した操作部１１の接眼部１６まで導かれ、ライトガイドファイバ２９の基端は図５に示したライトガイドケーブル１４のコネクタ１３まで操作部１１及びライトガイドケーブル１４内を通じて導かれている。イメージガイドファイバ２８及びライトガイドファイバ２９は挿入部１２内では被覆チューブ３３によって一緒に内装されており、操作部１１内では前記イメージガイドファイバー２８とライトガイドファイバ２９とは分別されて別々の被覆チューブ（いずれも図示せず）に内装されている。
【００２５】
各湾曲駒２３ａ，２３，２３…のワイヤ受け２５ａ，２５，２５…にはそれぞれ湾曲操作ワイヤ３４が挿通されており、各ワイヤ３４のワイヤ先端３４ａは、最先端の湾曲駒２３ａのワイヤ受け２５ａに対して、真空環境下においてろう付けにより固着されている。一方、ワイヤ３４の基端は図５に示した操作部１１の湾曲操作レバー１５まで挿入部１２及び操作部１１内を通じて導かれており、このレバー１５を回動操作することで、一対のワイヤ３４を押し引きし、挿入部１２の湾曲部１８を上下２方向へ湾曲操作可能となっている。
【００２６】
図２に示すように挿入部１２のワイヤ受け２５ａを形成した位置では、外周から順に外皮チューブ２２、ブレード２１、湾曲駒２３ａ、ライトガイド口金３２、ライトガイドファイバ２９、イメージガイド口金３１、イメージガイドファイバ２８がリング状に配置されている。最先端の湾曲駒２３ａのワイヤ受け２５ａの外周側の面には、ワイヤ３４のワイヤ先端３４ａがろう付けにより固定されている。
【００２７】
以下、図３及び図４を用いて最先端の湾曲駒２３ａ及び湾曲操作ワイヤ３４について詳細に説明する。
【００２８】
図３に示すように最先端の湾曲駒２３ａは、内周面の互いに対向する２か所を内側へ円弧状に切り曲げて湾曲操作ワイヤ３４のワイヤ先端３４ａを嵌め込む切起し片を形成し、これら切起し片をワイヤ受け２５ａとしている。
【００２９】
最先端の湾曲駒２３ａ及び湾曲操作ワイヤ３４の組立前の状態では、湾曲駒２３ａのワイヤ受け２５ａにはめっき３６が施されている。めっき３６の材質はニッケルもしくは金が好ましい。またワイヤ先端３４ａも同様にめっきが施され、更にろう材３７が塗布されている。
【００３０】
これらの前処理を施した湾曲駒２３と湾曲操作ワイヤ３４とは、次の工程で、図４（ａ），（ｂ）に示すように、ワイヤ受け２５ａに湾曲操作ワイヤ３４を嵌め込むことにより組み付け、真空炉内でろう材３７を溶かし、ワイヤ受け２５ａとワイヤ先端３４ａとをろう付けする。この場合、ワイヤ受け２５ａとワイヤ先端３４ａとを組み合わせた後、ろう材３９を追加塗布しても良い。
【００３１】
尚、本実施の形態では、先端構成部１９と最先端の湾曲駒２３ａとは、この湾曲部の先端に連結される先端部となっており、前記湾曲操作ワイヤと前記挿入部の先端部とを、真空環境下において、固定したことを特徴としている。
【００３２】
このような第１の実施形態によれば、湾曲駒２３と湾曲操作ワイヤ３４を真空炉内でろう付けする場合において、両部材をろう材の溶融温度まで加熱しても接合部表面に酸化被膜が形成されないため、フラックスを用いる必要がない。これにより、湾曲駒２３ａに湾曲操作ワイヤ３４を確実に固定できるとともに、湾曲操作ワイヤ３４に錆が発生するのを確実に防止できるので、内視鏡をオートクレーブ滅菌装置に投入しても、フラックス残留に起因する錆の発生を確実に防止することができ、湾曲操作ワイヤの錆による劣化や断線の発生を確実に防止でき、内視鏡の寿命を延長することができる。
【００３３】
尚、第１の実施の形態では、真空環境下でろう付けを行ったが、不活性ガス環境下でろう付けを行ってもよく、この場合もフラックスが不要となり、フラックス残留に起因する錆の発生を確実に防止することができる。これにより、内視鏡の寿命を延長することができる。また、湾曲駒２３ａのワイヤ受け２５ａ及びワイヤ先端３４ａにあらかじめめっきを施したことにより、ろう材の濡れ性が向上し、確実な接合が可能となる。
【００３４】
（第２の実施の形態）
図６は本発明の第２の実施の形態に係る内視鏡の先端部及び湾曲操作ワイヤを示す断面図である。
【００３５】
図６に示すように、先端構成部４１は、左右の半体（半体４２のみ図示）を組み立てて構成される。前記先端構成部４１には、挿入部長手方向に略円柱状の穴４１ａが形成され、この穴４１ａには、外周から順にライトガイド口金３２、ライトガイドファイバ２９、イメージガイド口金３１、対物レンズ３０が配置されている。半体４２の先端構成部分割面４３の基端側には、挿入部長手方向に上下２つの溝状のワイヤ受け部４４が穴４１ａを挟んで形成されている。
【００３６】
ワイヤ受け部４４には、湾曲操作ワイヤ３４が固着されている。このワイヤ受け部４４は切削加工等により湾曲操作ワイヤ３４より僅かに大きな断面形状寸法を有するように形成される。そして第１の実施形態と同様、ワイヤ受け部４４の内面及びワイヤ３４のワイヤ先端３４ａにはめっき及びろう材の塗布がなされ、真空もしくは不活性ガス環境下でろう付けを行なっている。
【００３７】
最先端の湾曲駒４５ａの先端部は先端構成部４１の基端外周部に被嵌されており、接着剤付けによって固定されている。これら以外の構成は図１の実施形態と同様になっている。
【００３８】
このような第２の実施形態によれば、先端構成部４１と湾曲操作ワイヤ３４とのろう付けを真空もしくは不活性ガス環境下で行っているので、図１乃至図５に示した第１の実施形態と同様の効果があるとともに、ワイヤ受け部４４を、切削加工等により湾曲操作ワイヤ３４より僅かに大きな断面形状寸法を有するように形成したため、最先端の湾曲駒の内周面を内側へ円弧状に切り曲げてワイヤ受けを形成する場合に比べて、湾曲操作ワイヤ３４とのクリアランスを最適にすることが可能となり、より確実な接合が行える。
【００３９】
（第３の実施の形態）
図７及び図８は本発明の第３の実施の形態に係り、図７は湾曲操作ワイヤと接続部材を示す断面図、図８は最先端の湾曲駒及び湾曲操作ワイヤの組立後の状態を示す断面図である。
【００４０】
図７に示すように湾曲操作ワイヤ３４の先端部には、円筒形状の接続部材５１が、かしめやフラックスレス半田等の方法により固定されている。この接続部材５１を図８に示すように湾曲駒５３ａのワイヤ受け５５ａに対してレーザ等の手段により溶接することにより接合する。この場合、接続部材５１は、熱容量が、湾曲操作ワイヤ３４の素線よりも大きく湾曲駒５３ａよりも小さくなるように寸法形状及び材質が選定される。なお、図中の矢印はレーザ光の照射方向を示している。ワイヤ受け５５ａの大きさは、接続部材５１に合わせて設定している。
【００４１】
このような第３の実施形態によれば、各部材の熱容量を湾曲操作ワイヤ３４の素線＜接続部材５１＜湾曲駒５３ａの順に段階的に変化するように構成しているので、溶接を行つた際に熱容量の差によるワイヤの破断を防止でき、安定した接合を行うことができる。ここで、溶接を用いて接合すれば、フラックスが不要となり、洗浄不足に起因する錆の発生を防ぐことが可能となる。これにより、第３の実施形態は、図１乃至図５に示した第１の実施形態と同様の効果が得られる。
【００４２】
（第４の実施の形態）
図９は本発明の第４の実施の形態に係る内視鏡の湾曲駒及び湾曲操作ワイヤを示す断面図である。
【００４３】
図９に示すように本実施形態では、最先端の湾曲駒６３ａにワイヤ受けを設けず、図７と同様の湾曲操作ワイヤ３４に取り付けた接続部材５１を、最先端の湾曲駒６３ａの内側面に直接レーザ溶接により接合している。この場合も、各部材の熱容量は湾曲操作ワイヤ３４の素線＜接続部材５１＜湾曲駒６３ａの順に段階的に変化するように構成している。
【００４４】
このような第４の実施形態によれば、図８に示した第３の実施形態と同様の効果が得られるとともに、最先端の湾曲駒６３ａにワイヤ受けを設けないため、最先端の湾曲駒の製造コストを削減できるとともに、湾曲管内の内蔵物のレイアウトの自由度が向上し、湾曲管の細径化が可能となる。
【００４５】
図１０は図９の接続部材の変形例を示す側面図である。
【００４６】
図１０に示すように、湾曲操作ワイヤ３４に接続した接続部材６５は、円筒部６６の先端側に偏平な舌片６７を追加した形状となっている。
【００４７】
この場合、湾曲操作ワイヤ３４と接続部材６５を円筒部６６で接合した後、図９に示した湾曲駒６３ａに接続部材６５の舌片６７をレーザ溶接により接合する。
【００４８】
このような変形例によれば、レーザ溶接に適した形状の舌片６７を設けることにより、安定した溶接が可能となる。また、湾曲操作ワイヤ３４と接続部材６５の接合部と、接続部材６５と湾曲駒６３ａの接合部との間に距離を設けることにより、レーザ溶接時の熱が、先に接合しておいた湾曲操作ワイヤ３４と接続部材６５の接合部に影響を及ぼすのを防止することができる。
【００４９】
（第５の実施の形態）
図１１は本発明の第５の実施の形態に係る内視鏡の先端部及び湾曲操作ワイヤを示す断面図である。
【００５０】
図１１に示すように、先端構成部７１は、左右の半体（半体７２のみ図示）を組み立てて構成される。前記先端構成部７１には、図６に示したものと同様の穴４１ａ形成され、半体７２の先端構成部分割面７３の基端側には、挿入部長手方向に溝状の上下２つのワイヤ受け部７４が穴４１ａを挟んで形成されている。ワイヤ受け部７４の先端側には、抜け止め溝７５が形成されている。湾曲操作ワイヤ３４の先端部には、円筒形状の接続部材７６がかしめやフラックスレス半田等の方法により固定されている。
【００５１】
湾曲操作ワイヤ３４の先端に固定した接続部材７６は、先端構成部７１に設けた抜け止め溝７５に対して嵌合することにより接合している。
【００５２】
このような構造により、本実施の形態の内視鏡は、湾曲操作レパー（図示せず）の操作により湾曲操作ワイヤ３４が牽引された場合、接続部材７６が抜け止め溝７５の当接部に当接し、先端構成部７１を牽引操作できるようになっている。
【００５３】
このような発明の実施の形態によれば、図６に示した第２の実施形態と同様の効果が得られるとともに、湾曲操作ワイヤ３４の先端に固定した接続部材７６を先端構成部７１に設けた抜け止め溝７５に対して嵌合させることにより、湾曲操作ワイヤ３４を先端構成部７１に対して確実に固定し、湾曲操作ワイヤ３４が牽引された際に先端構成部７１から抜けるのを防ぐことができる。
【００５４】
（第６の実施の形態）
図１２は本発明の第６の実施の形態に係る内視鏡の湾曲駒及び湾曲操作ワイヤを示す断面図である。
【００５５】
図１２に示すように、第６の実施の形態では、湾曲操作ワイヤ８４の先端部を溶断等により溶融し、略球状の金属塊８５を形成している。これにより、湾曲操作ワイヤ８４の先端に膨大部を形成している。金属塊８５の熱容量は湾曲操作ワイヤ８４の素線よりも大きくなっている。この金属塊８５は、図９に示したものと同様の最先端の湾曲コマ６３ａの内周面にレーザー等の手段により溶接する。
【００５６】
このような発明の実施の形態によれば、湾曲操作ワイヤ８４の先端部に略球状の金属塊８５を設け、金属塊８５の熱容量が湾曲操作ワイヤ８４の素線よりも大きくなるように構成したことにより、溶接を行った際に熱容量の差によるワイヤの破断を防ぎ、安定した接合を行うことができる。溶接を用いて接合すれば、フラックスが不要となり、洗浄不足に起因する錆の発生を確実に防止できる。
【００５７】
（第７の実施の形態）
図１３は本発明の第７の実施の形態に係る内視鏡の先端部及び湾曲操作ワイヤを示す断面図である。
【００５８】
図１３に示すように、先端構成部９１は、左右の半体（半体９２のみ図示）を組み立てて構成される。前記先端構成部９１には、図６と同様の穴４１ａ形成され、半体９２の先端構成部分割面９３の基端側には、挿入部長手方向に溝状の２つのワイヤ受け部９４が穴４１ａを挟んで形成されている。ワイヤ受け部９４の先端には、抜け止め穴９５が形成されている。湾曲操作ワイヤ９７の先端には、略球状の金属塊９８を形成している。
【００５９】
湾曲操作ワイヤ９７の金属塊９８は、先端構成部９１に設けた抜け止め穴９５に対して嵌合している。
【００６０】
このような発明の実施の形態によれば、湾曲操作ワイヤ９７の先端に設けた略球状の金属塊９８を、先端構成部９１に設けた抜け止め穴９５に対して嵌合させることにより、湾曲操作ワイヤ９７を先端構成部９１に対して確実に固定し、湾曲操作ワイヤ９７が牽引された際に先端構成部９１から抜けるのを防止することができる。これにより、図１１の実施の形態と同様の効果が得られる。
【００６１】
尚、本発明の内視鏡は、前記した実施の形態にのみ限定されるものではなく、本発明の要旨を逸脱しない範囲で種々変形実施可能である。
【００６２】
［付記］
以上詳述したような本発明の前記実施の形態によれば、以下の如き構成を得ることができる。
【００６３】
（付記項１）  挿入部に、湾曲可能な湾曲部と、この湾曲部の先端に連結される先端部とを設けるとともに、前記先端部に固定され、前記湾曲部を牽引操作する湾曲操作ワイヤを有する内視鏡において、
前記湾曲操作ワイヤと前記挿入部の先端部とを、真空環境下または不活性ガス環境下において、ろう付けにより固定したことを特徴とする内視鏡。
【００６４】
（付記項２）  前記湾曲操作ワイヤと前記挿入部の先端部との少なくとも一方にめっきを施した後、ろう付けにより固定したことを特徴とする付記項１に記載の内視鏡。
【００６５】
（付記項３）  前記めっきの材質にニッケルまたは金を用いたことを特徴とする付記項２に記載の内視鏡。
【００６６】
（付記項４）  挿入部に、湾曲可能な湾曲部と、この湾曲部の先端に連結される先端部とを設けるとともに、前記先端部に固定され、前記湾曲部を牽引操作する湾曲操作ワイヤを有する内視鏡において、
前記湾曲操作ワイヤと前記挿入部の先端部とを接続部材を介して溶接することにより接合したことを特徴とする内視鏡。
【００６７】
（付記項５）  前記湾曲操作ワイヤ、接続部材及び挿入部の先端部の各熱容量を、一番小さい湾曲操作ワイヤ、次に小さい接続部材、一番大きい挿入部の先端部の順で段階的に変化するように構成したことを特徴とする付記項４に記載の内視鏡。
【００６８】
（付記項６）  前記接続部材は、円筒形状の金属部材からなることを特徴とする付記項４に記載の内視鏡。
【００６９】
（付記項７）  前記接続部材は、湾曲操作ワイヤに対する接合部と挿入部の先端部に対する接合部とから構成されることを特徴とする付記項４に記載の内視鏡。
【００７０】
（付記項８）  挿入部に、湾曲可能な湾曲部と、この湾曲部の先端に連結される先端部とを設けるとともに、前記先端部に固定され、前記湾曲部を牽引操作する湾曲操作ワイヤを有する内視鏡において、
前記湾曲操作ワイヤの先端に膨大部を溶融成形し、前記挿入部の先端部に対して前記膨大部を接合したことを特徴とする内視鏡。
【００７１】
（付記項９）  前記湾曲操作ワイヤの膨大部の熱容量をワイヤ素線の熱容量より大きくなるように形成したことを特徴とする付記項８記載の内視鏡。
【００７２】
（付記項１０）  前記膨大部を略球形状に形成したことを特徴とする付記項８に記載の内視鏡。
【００７３】
（付記項１１）  前記挿入部の先端部は、湾曲部の最先端の湾曲駒または対物レンズを取り付ける先端構成部であることを特徴とする付記項１乃至１０のいずれかに記載の内視鏡。
【００７４】
【発明の効果】
以上述べた様に本発明によれば、挿入部の先端部に湾曲操作ワイヤを確実に固定できるとともに、湾曲操作ワイヤに錆が発生するのを確実に防止できるので、内視鏡の寿命を延長することができる。
【図面の簡単な説明】
【図１】本発明の第１の実施の形態に係る内視鏡の挿入部先端側を側方から見た断面図。
【図２】図１のＡ−Ａ線断面図。
【図３】図１の最先端の湾曲駒及び湾曲操作ワイヤの組立前の状態を示す断面図。
【図４】図１の最先端の湾曲駒及び湾曲操作ワイヤの組立後の状態を示す断面図。
【図５】図１の内視鏡の全体を示す斜視図。
【図６】本発明の第２の実施の形態に係る内視鏡の先端部及び湾曲操作ワイヤを示す断面図。
【図７】本発明の第３の実施の形態に係る湾曲操作ワイヤと接続部材を示す断面図。
【図８】本発明の第３の実施の形態に係る最先端の湾曲駒及び湾曲操作ワイヤの組立前の状態を示す断面図。
【図９】本発明の第４の実施の形態に係る内視鏡の湾曲駒及び湾曲操作ワイヤを示す断面図。
【図１０】図９の接続部材の変形例を示す側面図。
【図１１】本発明の第５の実施の形態に係る内視鏡の先端部及び湾曲操作ワイヤを示す断面図。
【図１２】本発明の第６の実施の形態に係る内視鏡の湾曲駒及び湾曲操作ワイヤを示す断面図。
【図１３】本発明の第７の実施の形態に係る内視鏡の先端部及び湾曲操作ワイヤを示す断面図。
【符号の説明】
１２        …挿入部
１８        …湾曲部
１９        …先端構成部
２０        …湾曲管
２３ａ      …湾曲駒
２５ａ      …ワイヤ受け
３４        …湾曲操作ワイヤ
３４ａ      …ワイヤ先端
【図１】
0004436503.tif 000002
【図２】
0004436503.tif 000003
【図３】
0004436503.tif 000004
【図４】
0004436503.tif 000005
【図５】
0004436503.tif 000006
【図６】
0004436503.tif 000007
【図７】
0004436503.tif 000008
【図８】
0004436503.tif 000009
【図９】
0004436503.tif 000010
【図１０】
0004436503.tif 000011
【図１１】
0004436503.tif 000012
【図１２】
0004436503.tif 000013
【図１３】
0004436503.tif 000014